(57)【要約】【課題】再生不可能な箇所を含む映像情報を利便性良好に再生する。【解決手段】ディスクプレイヤ１００のＤＳＰ３２は、光ディスク２に格納された映像情報を読み取る読取部３２１と、読取部３２１によって読み取られた映像情報が再生可能であるか否かを判定する再生可否判定部３２２と、再生可否判定部３２２によって再生不可能であると判定された場合に、ディスプレイ２００に再生不可能である旨の情報を表示する表示制御部３２３と、を備えている。【選択図】図２
2008165896.tif 000002
【特許請求の範囲】
【請求項１】
光ディスクに格納されＤｉｖＸ形式にエンコードされた映像情報を再生しモニタに表示する光ディスク再生装置であって、
光ディスクに格納された映像情報を読み取る読取手段と、
前記読取手段によって読み取られた映像情報をデコードするデコード手段と、
前記読取手段によって読み取られた映像情報が再生可能であるか否かを判定する再生可否判定手段と、
前記再生可否判定手段によって再生不可能であると判定された場合に、前記モニタに再生不可能である旨の情報を表示する表示制御手段と、
を備え、
前記デコード手段は、前記読取手段によって読み取られた映像情報が破損している場合に、デコードすることができないと判定し、
前記再生可否判定手段は、前記デコード手段によって映像情報をデコードすることができないと判定された場合に、再生不可能であると判定し、
前記読取手段は、前記再生可否判定手段によって再生不可能であると判定された場合に、前記光ディスクに格納された映像情報の読み取りを続行し、
前記表示制御手段は、前記再生可否判定手段によって再生不可能であると判定された場合に、映像情報の読み取りを続行している旨の情報を前記モニタに表示することを特徴とする光ディスク再生装置。
【請求項２】
記録媒体に格納された映像情報を再生しモニタに表示する映像情報再生装置であって、
前記記録媒体に格納された映像情報を読み取る読取手段と、
前記読取手段によって読み取られた映像情報が再生可能であるか否かを判定する再生可否判定手段と、
前記再生可否判定手段によって再生不可能であると判定された場合に、前記モニタに再生不可能である旨の情報を表示する表示制御手段と、
を備えることを特徴とする映像情報再生装置。
【請求項３】
前記読取手段によって読み取られた映像情報をデコードするデコード手段を備え、
前記再生可否判定手段は、前記デコード手段によって映像情報をデコードすることができないと判定された場合に、再生不可能であると判定することを特徴とする請求項２に記載の映像情報再生装置。
【請求項４】
前記デコード手段は、前記読取手段によって読み取られた映像情報が破損している場合に、デコードすることができないと判定することを特徴とする請求項３に記載の映像情報再生装置。
【請求項５】
前記記録媒体に格納された映像情報は、ＤｉｖＸ形式にエンコードされた情報であることを特徴とする請求項２〜請求項４のいずれかに記載の映像情報再生装置。
【請求項６】
前記読取手段は、前記再生可否判定手段によって再生不可能であると判定された場合に、前記記録媒体に格納された映像情報の読み取りを続行することを特徴とする請求項２〜請求項５のいずれかに記載の映像情報再生装置。
【請求項７】
前記表示制御手段は、前記再生可否判定手段によって再生不可能であると判定された場合に、映像情報の読み取りを続行している旨の情報を前記モニタに表示することを特徴とする請求項６に記載の映像情報再生装置。
【請求項８】
前記記録媒体は、光ディスクであることを特徴とする請求項２〜請求項７のいずれかに記載の映像情報再生装置。
【発明の詳細な説明】
【技術分野】
【０００１】
本発明は、記録媒体に格納された映像情報を再生しモニタに表示する映像情報再生装置及び光ディスク再生装置に関する。特に、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）等の光ディスクに格納されＤｉｖＸ形式にエンコードされた映像情報を再生しモニタに表示するディスクプレイヤに関する。
【背景技術】
【０００２】
近年、ビデオカメラ及びパーソナルコンピュータの安価化、高性能化の進展に伴い、ユーザが自ら撮影した映像の映像情報をエンコードして光ディスク等の記録媒体に格納することが比較的容易に実現可能になってきている。また、映像情報をエンコードする符号化方式としては、ＭＰＥＧ４（Ｍｏｖｉｎｇ  Ｐｉｃｔｕｒｅ  Ｅｘｐｅｒｔｓ  Ｇｒｏｕｐ  ｐｈａｓｅ  ４）、ＷＭＶ（Ｗｉｎｄｏｗｓ（登録商標）  Ｍｅｄｉａ  Ｖｉｄｅｏ）、ＤｉｖＸ等がある。
【０００３】
ここで、記録媒体に映像情報をエンコードして記録する際にユーザの誤操作等に起因してエラーが発生すると、その映像情報を読み出して再生することができない場合がある。この問題を解消するために、種々の装置が提案されている。例えば、予め記憶された映像情報の再生結果に基づいて再生可能な映像情報のリストを作成し、そのリストに従って映像情報が再生可能か否かを予め判定した上で映像情報を再生するデータ再生装置が開示されている（特許文献１参照）。
【特許文献１】特開２００６−１０７５８０号公報
【発明の開示】
【発明が解決しようとする課題】
【０００４】
しかしながら、上記データ再生装置では、予め記憶された映像情報の再生結果に基づいて再生可能な映像情報のリストを作成する必要があり、ユーザの手間が増大する場合がある。また、再生可能な映像情報のリストが作成されていない場合（又は、再生可能な映像情報のリストが更新されていない場合）には、再生不可能な映像情報を再生することになる。このように、再生不可能な映像情報を再生する場合には、再生された映像を表示するモニタに何も表示されないため、ユーザはデータ再生装置が故障していると判断してしまう虞がある。
【０００５】
上記の課題に鑑みて、本発明は、再生不可能な箇所を含む映像情報を利便性良好に再生することの可能な映像情報再生装置及び光ディスク再生装置を提供することを目的としている。
【課題を解決するための手段】
【０００６】
上記目的を達成するために請求項１に記載の光ディスク再生装置は、光ディスクに格納されＤｉｖＸ形式にエンコードされた映像情報を再生しモニタに表示する光ディスク再生装置であって、光ディスクに格納された映像情報を読み取る読取手段と、前記読取手段によって読み取られた映像情報をデコードするデコード手段と、前記読取手段によって読み取られた映像情報が再生可能であるか否かを判定する再生可否判定手段と、前記再生可否判定手段によって再生不可能であると判定された場合に、前記モニタに再生不可能である旨の情報を表示する表示制御手段と、を備え、前記デコード手段が、前記読取手段によって読み取られた映像情報が破損している場合に、デコードすることができないと判定し、前記再生可否判定手段が、前記デコード手段によって映像情報をデコードすることができないと判定された場合に、再生不可能であると判定し、前記読取手段が、前記再生可否判定手段によって再生不可能であると判定された場合に、前記光ディスクに格納された映像情報の読み取りを続行し、前記表示制御手段が、前記再生可否判定手段によって再生不可能であると判定された場合に、映像情報の読み取りを続行している旨の情報を前記モニタに表示することを特徴としている。
【０００７】
請求項２に記載の映像情報再生装置は、記録媒体に格納された映像情報を再生しモニタに表示する映像情報再生装置であって、前記記録媒体に格納された映像情報を読み取る読取手段と、前記読取手段によって読み取られた映像情報が再生可能であるか否かを判定する再生可否判定手段と、前記再生可否判定手段によって再生不可能であると判定された場合に、前記モニタに再生不可能である旨の情報を表示する表示制御手段と、を備えることを特徴としている。
【０００８】
請求項３に記載の映像情報再生装置は、請求項２に記載の映像情報再生装置であって、前記読取手段によって読み取られた映像情報をデコードするデコード手段を備え、前記再生可否判定手段が、前記デコード手段によって映像情報をデコードすることができないと判定された場合に、再生不可能であると判定することを特徴としている。
【０００９】
請求項４に記載の映像情報再生装置は、請求項３に記載の映像情報再生装置であって、前記デコード手段が、前記読取手段によって読み取られた映像情報が破損している場合に、デコードすることができないと判定することを特徴としている。
【００１０】
請求項５に記載の映像情報再生装置は、請求項２〜請求項４のいずれかに記載の映像情報再生装置であって、前記記録媒体に格納された映像情報が、ＤｉｖＸ形式にエンコードされた情報であることを特徴としている。
【００１１】
請求項６に記載の映像情報再生装置は、請求項２〜請求項５のいずれかに記載の映像情報再生装置であって、前記読取手段が、前記再生可否判定手段によって再生不可能であると判定された場合に、前記記録媒体に格納された映像情報の読み取りを続行することを特徴としている。
【００１２】
請求項７に記載の映像情報再生装置は、請求項６に記載の映像情報再生装置であって、前記表示制御手段が、前記再生可否判定手段によって再生不可能であると判定された場合に、映像情報の読み取りを続行している旨の情報を前記モニタに表示することを特徴としている。
【００１３】
請求項８に記載の映像情報再生装置は、請求項２〜請求項７のいずれかに記載の映像情報再生装置であって、前記記録媒体が、光ディスクであることを特徴としている。
【発明の効果】
【００１４】
請求項１に記載の光ディスク再生装置によれば、光ディスクに格納された映像情報が読み取られ、読み取られた映像情報が再生可能であるか否かが判定される。そして、再生不可能であると判定された場合に、モニタに再生不可能である旨の情報が表示されるため、再生不可能な箇所を含む映像情報を利便性良好に再生することができる。
【００１５】
すなわち、読み取られた映像情報が再生不可能な映像情報である場合には、モニタに再生不可能である旨の情報が表示されるため、ユーザは、映像情報が再生不可能であると視認することができるので、光ディスク再生装置が故障していると誤って判断してしまうことがないのである。
【００１６】
また、映像情報をデコードすることができないと判定された場合に、再生不可能であると判定されるため、再生不可能であるか否かの判断を正確に且つ容易に行うことができる。
【００１７】
更に、読み取られた映像情報が破損している場合に、デコードすることができないと判定されるため、再生不可能であるか否かの判断を更に正確に行うことができる。
【００１８】
加えて、光ディスクに格納された映像情報がＤｉｖＸ形式にエンコードされた情報であるため、破損している可能性の高い映像情報において映像情報を利便性良好に再生することができる。
【００１９】
すなわち、ＤｉｖＸ形式にエンコードするソフトウェアが無償で取得可能であること等に起因して、ソフトウェアに関する知識に乏しいユーザが使用する機会が多く、その結果、破損している映像情報が発生し易いため、破損している可能性の高い映像情報において映像情報を利便性良好に再生することができるのである。
【００２０】
また、再生不可能であると判定された場合に、光ディスクに格納された映像情報の読み取りが続行されるため、再生可能な映像情報が読み取られた場合に、映像情報がモニタに再生されるので、再生不可能な箇所を含む映像情報を更に利便性良好に再生することができる。
【００２１】
更に、再生不可能であると判定された場合に、映像情報の読み取りを続行している旨の情報がモニタに表示されるため、再生不可能な箇所を含む映像情報を更に利便性良好に再生することができる。
【００２２】
すなわち、読み取られた映像情報が再生不可能な映像情報である場合には、モニタに映像情報の読み取りを続行している旨の情報が表示されるため、ユーザは、映像情報の読み取りを続行していると視認することができるので、再生可能な映像情報が再生されるまで待つことができ、不適切な操作（例えば、再生を停止する操作、電源をＯＦＦする操作等）等を防止することができるのである。
【００２３】
加えて、映像情報が光ディスクに格納されているため、再生不可能な箇所を含む映像情報を利便性良好に再生することができる。すなわち、ユーザが自らビデオカメラ等で撮影して生成した映像情報を、可搬性の良好な光ディスクに格納することが多いため、光ディスクに格納された再生不可能な箇所を含む映像情報を利便性良好に再生することができるのである。
【００２４】
請求項２に記載の映像情報再生装置によれば、記録媒体に格納された映像情報が読み取られ、読み取られた映像情報が再生可能であるか否かが判定される。そして、再生不可能であると判定された場合に、モニタに再生不可能である旨の情報が表示されるため、再生不可能な箇所を含む映像情報を利便性良好に再生することができる。
【００２５】
すなわち、読み取られた映像情報が再生不可能な映像情報である場合には、モニタに再生不可能である旨の情報が表示されるため、ユーザは、映像情報が再生不可能であると視認することができるので、映像情報再生装置が故障していると誤って判断してしまうことがないのである。
【００２６】
請求項３に記載の映像情報再生装置によれば、映像情報をデコードすることができないと判定された場合に、再生不可能であると判定されるため、再生不可能であるか否かの判断を正確に且つ容易に行うことができる。
【００２７】
請求項４に記載の映像情報再生装置によれば、読み取られた映像情報が破損している場合に、デコードすることができないと判定されるため、再生不可能であるか否かの判断を更に正確に行うことができる。
【００２８】
請求項５に記載の映像情報再生装置によれば、記録媒体に格納された映像情報がＤｉｖＸ形式にエンコードされた情報であるため、破損している可能性の高い映像情報において映像情報を利便性良好に再生することができる。
【００２９】
すなわち、ＤｉｖＸ形式にエンコードするソフトウェアが無償で取得可能であること等に起因して、ソフトウェアに関する知識に乏しいユーザが使用する機会が多く、その結果、破損している映像情報が発生し易いため、破損している可能性の高い映像情報において映像情報を利便性良好に再生することができるのである。
【００３０】
請求項６に記載の映像情報再生装置によれば、再生不可能であると判定された場合に、記録媒体に格納された映像情報の読み取りが続行されるため、再生可能な映像情報が読み取られた場合に、映像情報がモニタに再生されるので、再生不可能な箇所を含む映像情報を更に利便性良好に再生することができる。
【００３１】
請求項７に記載の映像情報再生装置によれば、再生不可能であると判定された場合に、映像情報の読み取りを続行している旨の情報がモニタに表示されるため、再生不可能な箇所を含む映像情報を更に利便性良好に再生することができる。
【００３２】
すなわち、読み取られた映像情報が再生不可能な映像情報である場合には、モニタに映像情報の読み取りを続行している旨の情報が表示されるため、ユーザは、映像情報の読み取りを続行していると視認することができるので、再生可能な映像情報が再生されるまで待つことができ、不適切な操作（例えば、再生を停止する操作、電源をＯＦＦする操作等）等を防止することができるのである。
【００３３】
請求項８に記載の映像情報再生装置によれば、記録媒体が光ディスクであるため、再生不可能な箇所を含む映像情報を利便性良好に再生することができる。すなわち、ユーザが自らビデオカメラ等で撮影して生成した映像情報を、可搬性の良好な光ディスクに格納することが多いため、光ディスクに格納された再生不可能な箇所を含む映像情報を利便性良好に再生することができるのである。
【発明を実施するための最良の形態】
【００３４】
以下に本発明の実施形態を、図面を参照しながら説明する。図１は、本発明に係るディスクプレイヤの一例を示す構成図である。ディスクプレイヤ１００（光ディスク再生装置、映像情報再生装置に相当する）は、本発明に係るピックアップ装置１、出力装置３、制御装置４、駆動装置５、表示部６及び操作部７を備えている。
【００３５】
ピックアップ装置１（読取手段の一部に相当する）は、ＣＤ用ＬＤ（Ｌａｓｅｒ  Ｄｉｏｄｅ）及びＤＶＤ用ＬＤを備え、再生する対象の光ディスク２（ＣＤ又はＤＶＤ）からの反射光を電気信号に変換し、光ディスク２（ＣＤ、又は、ＤＶＤ）に格納された音声情報、映像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。
【００３６】
ここでは、光ディスク２には、ＤｉｖＸ形式でエンコード（＝符号化）された映像データが予め格納されているものとする。また、ピックアップ装置１は、送りモータ５１によって、光ディスク２の径方向、及び、垂直方向（近接、離間方向）に移動可能に構成されている。
【００３７】
出力装置３は、ピックアップ装置１からの音声情報、映像情報等の情報を、音声及び画像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００３８】
ＲＦアンプ３１（読取手段の一部に相当する）は、ピックアップ装置１からの音声情報、映像情報等に対応する信号を増幅してＤＳＰ３２に出力するものである。
【００３９】
ＤＳＰ３２及び再生処理回路３３（表示制御手段の一部に相当する）は、ＲＦアンプ３１からの信号に対して、再生のための各種情報処理（例えばデコード処理、画像処理等）を施すものである。出力回路３４（表示制御手段の一部に相当する）は、再生処理回路３３からの情報を、図略のスピーカ及びディスプレイ２００に出力するためにＤＡ変換処理等を行うものである。ディスプレイ２００（モニタに相当する）は、ＬＣＤ（Ｌｉｑｕｉｄ  Ｃｒｙｓｔａｌ  Ｄｉｓｐｌａｙ）等を備え、出力回路３４からの映像情報を外部から視認可能に表示するものである。
【００４０】
制御装置４は、操作部７を介して受け付けた指示操作に基づいて、ピックアップ装置１及び駆動装置５の動作を制御するものであって、システムコントローラ４１、及びドライバＩＣ４２を備えている。システムコントローラ４１は、操作部７からの情報を受け付けてＤＳＰ３２に伝送すると共に、ＤＳＰ３２からの情報を表示部６に伝送するものである。
【００４１】
ドライバＩＣ４２は、ＤＳＰ３２からの指示に基づいて、ピックアップ装置１及び駆動装置５の動作を制御するものである。具体的には、ドライバＩＣ４２は、ピックアップ装置１に配設されたＣＤ用ＬＤ及びＤＶＤ用ＬＤの動作を制御すると共に、駆動装置５を構成する送りモータ５１及びスピンドルモータ５２の動作を制御するものである。
【００４２】
駆動装置５は、送りモータ５１及びスピンドルモータ５２を備える。送りモータ５１は、ドライバＩＣ４２からの指示に基づいてピックアップ装置１を光ディスク２の径方向及び垂直方向に移動させるものである。スピンドルモータ５２は、ドライバＩＣ４２からの指示に基づいて光ディスク２を回転駆動するものである。
【００４３】
表示部６は、ＬＣＤ等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００４４】
図２は、本発明に係るディスクプレイヤ１００における主要部の構成の一例を示す機能構成図である。ＤＳＰ３２は、ＭＰＵ（Ｍｉｃｒｏ  Ｐｒｏｃｅｓｓｉｎｇ  Ｕｎｉｔ）、図略のＲＡＭ（Ｒａｎｄｏｍ  Ａｃｃｅｓｓ  Ｍｅｍｏｒｙ）、及び、図略のＲＯＭ（Ｒｅａｄ  Ｏｎｌｙ  Ｍｅｍｏｒｙ）を備えている。ＭＰＵは、機能的に、読取部３２１、再生可否判定部３２２、及び、表示制御部３２３を備えている。
【００４５】
ここでは、ＭＰＵが、図略のＲＯＭ等に予め格納されたプログラムを読み出して実行することにより、読取部３２１、再生可否判定部３２２、表示制御部３２３等の機能部として機能するものである。
【００４６】
また、図略のＲＡＭ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４７】
更に、再生処理回路３３は、デコード回路３３１及びＯＳＤ回路３３２を備えている。デコード回路３３１（デコード手段に相当する）は、読取部３２１によって光ディスク２から読み取られた映像情報をデコードするものである。上述のように、ここでは、光ディスク２に格納された映像情報はＤｉｖＸ形式でエンコードされた映像情報であるため、デコード回路３３１は、光ディスク２から読み取られた映像情報に対してＤｉｖＸ形式に対応するデコード処理を施すものである。また、デコード回路３３１は、読取部３２１によって光ディスク２から読み取られた映像情報が破損している場合に、デコードすることができないと判定し、その旨の信号をＤＳＰ３２（再生可否判定部３２２）に出力するものである。
【００４８】
ＯＳＤ回路３３２（表示制御手段の一部に相当する）は、表示制御部３２３からの指示に基づいて、ディスプレイ２００にＯＳＤ（Ｏｎ−Ｓｃｒｅｅｎ  Ｄｉｓｐｌａｙ）表示を行うものである。
【００４９】
読取部３２１（読取手段の一部に相当する）は、図１に示すピックアップ装置１、ＲＦアンプ３１を介して光ディスク２に格納された映像情報を読み取ると共に、読み取られた映像情報をデコード回路３３１に出力するものである。また、読取部３２１は、再生可否判定部３２２によって再生不可能であると判定された場合に、光ディスク２に格納された映像情報の読み取りを続行するものである。
【００５０】
再生可否判定部３２２（再生可否判定手段に相当する）は、読取部３２１によって読み取られた映像情報が再生可能であるか否かを判定するものである。ここでは、再生可否判定部３２２は、デコード回路３３１からデコードすることができない旨の信号が受け付けられた場合に、再生不可能であると判定するものである。
【００５１】
表示制御部３２３（表示制御手段の一部に相当する）は、再生可否判定部３２２によって再生不可能であると判定された場合に、ディスプレイ２００に再生不可能である旨の情報を表示するものである。ここでは、表示制御部３２３は、ＯＳＤ回路３３２を介して、ディスプレイ２００に再生不可能である旨のＯＳＤ表示（例えば、「映像情報が破損しているため、再生することができません。」との文字情報の表示）を行うものである。
【００５２】
また、表示制御部３２３は、再生可否判定部３２２によって再生不可能であると判定された場合に、映像情報の読み取りを続行している旨の情報をディスプレイ２００に表示するものである。ここでは、表示制御部３２３は、ディスプレイ２００に映像情報の読み取りを続行している旨のＯＳＤ表示（例えば、「映像情報の読み取りを継続しています。しばらくお待ち下さい。」との文字情報の表示）を行うものである。
【００５３】
更に、表示制御部３２３は、再生可否判定部３２２によって再生可能であると判定された場合に、読取部３２１によって読み取られた映像情報に対してデコード回路３３１を介してデコード処理を施し、図１に示す出力回路３４を介してディスプレイ２００に映像を表示するものである。
【００５４】
図３は、本発明に係るディスクプレイヤ１００（主にＤＳＰ３２、再生処理回路３３）の動作の一例を示すフローチャートである。まず、読取部３２１によって、光ディスク２に格納された映像情報が読み取られる（Ｓ１０１）。そして、デコード回路３３１によって、デコード処理が可能であるか否かの判定が行われる（Ｓ１０３）。デコード処理が不可能であると判定された場合（Ｓ１０３でＮＯ）には、処理がステップＳ１０９に進められる。デコード処理が可能であると判定された場合（Ｓ１０３でＹＥＳ）には、デコード回路３３１によって、デコード処理が実行され（Ｓ１０５）、表示制御部３２３によって、ディスプレイ２００に映像が表示される（Ｓ１０７）。
【００５５】
ステップＳ１０３でＮＯの場合には、再生可否判定部３２２によって、再生不可能であると判定され（Ｓ１０９）、表示制御部３２３によって、ＯＳＤ回路３３２を介して、ディスプレイ２００に再生不可能である旨のＯＳＤ表示、及び、映像情報の読み取りを続行している旨のＯＳＤ表示が表示される（Ｓ１１１）。ステップＳ１０７の処理が終了した場合、又は、ステップＳ１１１の処理が終了した場合には、読取部３２１によって、光ディスク２に格納された映像情報の読み取りが終了したか否かの判定が行われる（Ｓ１１３）。映像情報の読み取りが終了していないと判定された場合（Ｓ１１３でＮＯ）には、処理がステップＳ１０１に戻され、ステップＳ１０１以降の処理が繰り返し実行される。映像情報の読み取りが終了したと判定された場合（Ｓ１１３でＹＥＳ）には、処理が終了される。
【００５６】
このようにして、光ディスク２に格納された映像情報が読み取られ、読み取られた映像情報が再生可能であるか否かが判定される。そして、再生不可能であると判定された場合に、ディスプレイ２００に再生不可能である旨の情報が表示されるため、再生不可能な箇所を含む映像情報を利便性良好に再生することができる。
【００５７】
すなわち、読み取られた映像情報が再生不可能な映像情報である場合には、ディスプレイ２００に再生不可能である旨の情報が表示されるため、ユーザは、映像情報が再生不可能であると視認することができるので、ディスクプレイヤ１００が故障していると誤って判断してしまうことがないのである。
【００５８】
また、映像情報をデコードすることができないと判定された場合に、再生不可能であると判定されるため、再生不可能であるか否かの判断を正確に且つ容易に行うことができる。
【００５９】
更に、読み取られた映像情報が破損している場合に、デコードすることができないと判定されるため、再生不可能であるか否かの判断を更に正確に行うことができる。
【００６０】
加えて、光ディスク２に格納された映像情報がＤｉｖＸ形式にエンコードされた情報であるため、破損している可能性の高い映像情報において映像情報を利便性良好に再生することができる。
【００６１】
すなわち、ＤｉｖＸ形式にエンコードするソフトウェアが無償で取得可能であること等に起因して、ソフトウェアに関する知識に乏しいユーザが使用する機会が多く、その結果、破損している映像情報が発生し易いため、破損している可能性の高い映像情報において映像情報を利便性良好に再生することができるのである。
【００６２】
また、再生不可能であると判定された場合に、光ディスク２に格納された映像情報の読み取りが続行されるため、再生可能な映像情報が読み取られた場合に、映像情報がディスプレイ２００に再生されるので、再生不可能な箇所を含む映像情報を更に利便性良好に再生することができる。
【００６３】
更に、再生不可能であると判定された場合に、映像情報の読み取りを続行している旨の情報がディスプレイ２００に表示されるため、再生不可能な箇所を含む映像情報を更に利便性良好に再生することができる。
【００６４】
すなわち、読み取られた映像情報が再生不可能な映像情報である場合には、ディスプレイ２００に映像情報の読み取りを続行している旨の情報が表示されるため、ユーザは、映像情報の読み取りを続行していると視認することができるので、再生可能な映像情報が再生されるまで待つことができ、不適切な操作（例えば、再生を停止する操作、電源をＯＦＦする操作等）等を防止することができるのである。
【００６５】
加えて、映像情報が光ディスク２に格納されているため、再生不可能な箇所を含む映像情報を利便性良好に再生することができる。すなわち、ユーザが自らビデオカメラ等で撮影して生成した映像情報を、可搬性の良好な光ディスク２に格納することが多いため、光ディスク２に格納された再生不可能な箇所を含む映像情報を利便性良好に再生することができるのである。
【００６６】
なお、本発明は、以下の形態にも適用可能である。
（Ａ）本実施形態では、映像情報再生装置がディスクプレイヤ１００である場合について説明したが、映像情報再生装置が記録媒体に格納された映像情報を再生する装置であればよい。例えば、映像情報再生装置がハードディスク等の記録媒体に格納された映像情報を再生可能に構成されたパーソナルコンピュータである形態でもよい。
【００６７】
（Ｂ）本実施形態では、記録媒体が光ディスク２である場合について説明したが、記録媒体がその他の種類の記録媒体である形態でもよい。例えば、記録媒体が、ハードディスク、フレキシブルディスク、半導体メモリ等である形態でもよい。例えば、記録媒体が、ハードディスクである場合には、本発明に係る映像情報再生装置は、ハードディスクドライブを備えている必要がある。
【００６８】
（Ｃ）本実施形態では、光ディスク再生装置が、ディスクプレイヤ１００である場合について説明したが、光ディスク再生装置が、光ディスク２に格納された映像情報を再生する装置であればよい。例えば、光ディスク再生装置が、光ディスク２に格納された映像情報を再生可能に構成されたパーソナルコンピュータである形態でもよい。
【００６９】
（Ｄ）本実施形態では、ＤＳＰ３２が読取部３２１、再生可否判定部３２２、及び、表示制御部３２３として機能する場合について説明したが、少なくとも１の機能部が回路によって実現されている形態でもよい。
【００７０】
（Ｅ）本実施形態では、ディスクプレイヤ１００がデコード回路３３１及びＯＳＤ回路３３２を備える場合について説明したが、デコード回路３３１及びＯＳＤ回路３３２の少なくとも一方が例えば、ＤＳＰ３２において機能部として実現されている形態でもよい。
【００７１】
（Ｆ）本実施形態では、光ディスク２に格納された映像情報はＤｉｖＸ形式でエンコードされた映像情報である場合について説明したが、その他の形式（例えば、ＷＭＶ形式）でエンコードされた映像情報である形態でもよい。
【図面の簡単な説明】
【００７２】
【図１】は、本発明に係るディスクプレイヤの一例を示す構成図である。
【図２】は、本発明に係るディスクプレイヤにおける主要部の構成の一例を示す機能構成図である。
【図３】は、本発明に係るディスクプレイヤ（主にＤＳＰ、再生処理回路）の動作の一例を示すフローチャートである。
【符号の説明】
【００７３】
１００    ディスクプレイヤ（映像情報再生装置、光ディスク再生装置）
２００    ディスプレイ（モニタ）
１    ピックアップ装置（読取手段の一部）
３    出力装置
３１    ＲＦアンプ（読取手段の一部）
３２    ＤＳＰ
３２１    読取部（読取手段の一部）
３２２    再生可否判定部（再生可否判定手段）
３２３    表示制御部（表示制御手段の一部）
３３    再生処理回路
３３１    デコード回路（デコード手段）
３３２    ＯＳＤ回路（表示制御手段の一部）
３４    出力回路（表示制御手段の一部）
【図１】
2008165896.tif 000003
【図２】
2008165896.tif 000004
【図３】
2008165896.tif 000005